(57)【要約】本発明による処理デバイス（１；１４）は、ハウジング（４）と、情報信号（ＡＳ）を送信及び／或いは受信するための第一の通信手段（２，６）と、受信された及び／又は送信されるべき情報信号（ＡＳ）を処理するための処理手段（７）と、処理デバイスのハウジング（４）に着脱可能に接続されたデータキャリア（１２）内に格納されている制御情報（ＢＩ，ＴＩ）を無接触で取り出すための第二の通信手段（１０；１１）とを有し、この処理デバイス（１，１４）による情報信号（ＡＳ）の処理は取り出された制御情報（ＢＩ，ＴＩ）によって制御される。
2004516587.tif 000002
【特許請求の範囲】
【請求項１】
情報信号を処理するための処理デバイスであって、このデバイスが
ハウジングと、
情報信号を受信及び／又は送信するための第一の通信手段と、
受信された及び／又は送信されるべき情報信号を処理するための処理手段と、
前記処理デバイスの前記ハウジングに着脱可能に接続されたデータキャリア内に格納されている制御情報を無接触で取り出すための第二の通信手段と、を有し、
前記処理手段による前記情報信号の処理が、前記取り出された制御情報の下で制御されることを特徴とする処理デバイス。
【請求項２】
前記処理デバイスの前記ハウジングへの前記データキャリアの前記着脱可能な接続が、粘着性を有する接合にて形成されることを特徴とする請求項１記載の処理デバイス。
【請求項３】
前記第二の通信手段が高周波信号を発生するように適合化され、この高周波信号が前記着脱可能に接続されたデータキャリアによって内部電源電圧を発生するため及び前記制御情報をやり取りするために利用されることを特徴とする請求項１記載の処理デバイス。
【請求項４】
前記処理デバイスの前記ハウジングが、後退部を有し、この後退部内で前記データキャリアが前記ハウジングに着脱可能に接続されることを特徴とする請求項１記載の処理デバイス。
【請求項５】
前記処理デバイスが移動電話機の形態を取り、この第一の通信手段が電話信号を送信及び受信するように適合化され、この処理手段が受信された及び送信されるべき電話信号を処理するように適合化され、前記第二の通信手段によって前記着脱可能に接続されたデータキャリアから取り出される前記制御情報が移動電話機のユーザの電話番号を識別し、及び／又は発呼クレジット情報を含むことを特徴とする請求項１記載の処理デバイス。
【請求項６】
前記第一の通信手段が、ＧＳＭ標準及び／又はＵＭＴＳ標準に従って動作するように適合化されることを特徴とする請求項４記載の処理デバイス。
【請求項７】
前記処理デバイスが暗号化された情報信号を再生するための再生デバイスであり、この再生デバイスが有する第一の通信手段が暗号化された情報信号を受信するように適合化され、この再生デバイスが有する処理手段が受信され暗号化された情報信号を解読するように適合化され、前記第二の通信手段によって前記着脱可能に接続されたデータキャリアから取り出される制御情報が、前記受信され暗号化された情報信号を解読するためのキー情報を含むことを特徴とする請求項１記載の処理デバイス。
【請求項８】
前記第一の通信手段が、前記暗号化された情報信号を取り出すためにデータ網に接続できることを特徴とする請求項７記載の処理デバイス。
【請求項９】
処理デバイスに着脱可能に接続できる粘着ラベル内に埋め込まれたデータキャリアであって、このデータキャリアが
請求項１記載の前記処理デバイスの前記第二の通信手段と通信するための第三の通信手段と、
請求項１記載の前記処理デバイスによって処理される制御情報を格納するためのメモリ手段と、を含むことを特徴とするデータキャリア。
【請求項１０】
前記データキャリアが、ＩＳＯ１４４４３標準に従って無接触通信を提供するように適合化されることを特徴とする請求項９記載のデータキャリア。
【発明の詳細な説明】
【０００１】
本発明は情報信号を処理するための処理デバイスであって、この情報信号は制御情報の制御（影響）の下で処理が可能な、処理デバイスに関する。
【０００２】
本発明は、更に、この処理デバイスと通信するためのデータキャリアに関する。
【０００３】
このような処理デバイスがドキュメントＥＰ ０ ７８５ ６３４ Ａ２から知られている。この周知の処理デバイスは、ハウジングを有する移動電話機として形成される。この移動電話機は、アンテナと配線を含む電話ＩＣによって形成される第一の通信手段を含む。この第一の通信手段を用いて、この移動電話機は、第一のオーディオ情報を受信するように適合化される。この第一のオーディオ情報は、電話プロバイダの送信／受信アンテナから、電話ＩＣによって伝送プロトコルを実行することで受信される。更に、この第一の通信手段は、電話ＩＣに加えられた第二のオーディオ情報を伝送プロトコルに挿入し、この第二のオーディオ情報をこの送信／受信アンテナに送信するように適合化される。
【０００４】
この周知の移動電話機は、更に、第一のオーディオ情報を処理するため、及び拡声器信号を移動電話機の拡声器に加えるための処理手段を含む。この処理手段は、更に、移動電話機のマイクロホンを処理し、第二のオーディオ情報を電話ＩＣに加えるように適合化される。
【０００５】
この周知の移動電話機は、更に、複数のＳＩＭカードホルダと、接続リード及び電話ＩＣの一部から形成される第二の通信手段を含む。ＳＩＭカードは、プラスチックのカードから成る。このカードは、８つの通信コンタクトを有するコンタクト配列と電話番号ＩＣを有し、この電話番号ＩＣは、移動電話機と通信するためのデータキャリアを形成する。
【０００６】
移動電話機のユーザが、ＳＩＭカードを移動電話機の複数のＳＩＭカードホルダの１つに挿入すると、電話番号ＩＣ内に格納されている制御情報が、移動電話機の第二の通信手段を用いて通信コンタクトを介してコンタクトを伴うやり方（ｃｏｎｔａｃｔ−ｂｏｕｎｄ ｍａｎｎｅｒ）にて読み出される。この電話番号ＩＣ内に格納されている制御情報は、少なくとも移動電話機と電話プロバイダの電話番号を定義する。第一の通信手段による通信プロトコルに従った情報の伝送、及び、適用される場合は、処理手段によるこの情報信号の処理の仕方は、読み出されこの制御情報によって制御される。
【０００７】
この移動電話機のＳＩＭカードホルダは、ハウジングの外側表面にしっかりと固定される。ＳＩＭカードホルダは、ハウジングの外側表面に８つの接続リードによって接続され、これらによってＳＩＭカードホルダの通信コンタクトが接続される。
【０００８】
周知の移動電話機では、短所として、ユーザは、ＳＩＭカードをハウジング内に配置されたＳＩＭカードホルダ内に挿入するために、移動電話機のハウジングを開くことを要求される。加えて、このハウジングカバーの機械的構造のために、移動電話機の製造コストが高くなる。更に、もう１つの短所として、ハウジングが開かれたとき、移動電話機の電子回路が外部環境（埃、湿気など）にさらされることとなる。
【０００９】
ＳＩＭカードホルダをハウジングの外側表面に固定するやり方は、短所として、接続リード、並びにＳＩＭカードホルダが損傷に弱くなる。
【００１０】
周知のデータキャリアでは、短所として、移動電話機とのコンタクト型の通信（ｃｏｎｔａｃｔ−ｂｏｕｎｄ ｃｏｍｍｕｎｉｃａｔｉｏｎ）はハウジング内に装着されたＳＩＭカードホルダを介してのみ、或いはハウジングに固定されたＳＩＭカードホルダを介してのみ可能であり、これらＳＩＭカードホルダは上述のような短所を持つ。
【００１１】
本発明の１つの目的は、上述の短所を排除することができる、第一の段落に記述されるタイプの処理デバイスと、第二の段落に記述されるタイプのデータキャリアを提供することにある。本発明の一面によると、この目的が、以下のような特徴を備える、上述の処理デバイスを提供することで達成される。
【００１２】
本発明の一面によると、情報信号を処理するための処理デバイスが提供され、このデバイスは、ハウジングと、情報信号を送信及び／又は受信するための第一の通信手段と、受信された及び／又は送信されるべき情報信号を処理するための処理手段と、処理デバイスのハウジングに着脱可能に接続されたデータキャリア内に格納されている制御情報をコンタクトレスに取り出すための第二の通信手段とを有し、この処理手段による情報信号の処理は、取り出されたこの制御情報にて制御される。
【００１３】
本発明のもう一面によると、上述の目的が、以下のような特徴を備える、上述のデータキャリアを提供することで達成される。
【００１４】
本発明のもう一面によると、処理デバイスに着脱可能に接続することができる粘着ラベル内に埋め込まれたデータキャリアが提供され、データキャリアは、請求項１記載の処理デバイスの第二の通信手段と通信するための第三の通信手段と、請求項１記載の処理デバイスによって処理される制御情報を格納するためのメモリ手段とを含む。
【００１５】
このデータキャリアは、長所として、処理デバイスのユーザは、単にこのデータキャリアを処理デバイスのハウジングに着脱可能に接続するのみで、第二の通信手段とこのデータキャリアは通信可能になる。ユーザは、この目的のために、処理デバイスのハウジングを開くことを要求されず、これはユーザにとってより便利であるのみでなく、処理デバイス内の電子回路は環境の影響から保護される。
【００１６】
第二の通信手段とデータキャリアとのコンタクトレス通信の結果として処理デバイスのハウジングに開口部やカバーを設ける必要がなくなるため、この処理デバイスはより安価に製造することができ、ハウジングは、例えば、防水、防塵更には密封とすることができる。着脱可能な接続のために、高信頼度のコンタクトレス通信が保証されることに加えて、このデータキャリアは、いつでもハウジングから取り外し、必要に応じて、別のデータキャリアと交換することができる。
【００１７】
請求項２記載の特徴によると、長所として、データキャリアはラベル内に含まれ、極めて簡単に処理デバイスのハウジングに着脱可能に接続することが可能となる。
【００１８】
請求項３記載の特徴によると、長所として、データキャリアは受動データキャリア（ｐａｓｓｉｖｅ ｄａｔａ ｃａｒｒｉｅｒ）の形態で実現でき、蓄電池を設ける必要性がなくなる。この結果、データキャリアは非常に小さくでき、このためハウジングの表面から僅かしか突出しなくなる。
【００１９】
請求項４記載の特徴によると、長所として、データキャリアは後退部（ｒｅｃｅｓｓ）内でハウジングに接続され、従って、これが後退部の周囲においてハウジングの表面から突出することは全くなくなり、このためデータキャリアが損傷する危険を実質的に排除できる。
【００２０】
請求項５記載の特徴による移動電話機では、長所として、ユーザは、移動電話機を購入した後、単に電話プロバイダからのラベルを貼り付けるのみで、その移動電話機を「パーソナル化（ｐｅｒｓｏｎａｌｉｚｅ）」すること（電話番号を割り当てること）が可能になる。更に、ユーザは、この移動電話機に、内部にプリペイスキームに従った発呼クレジット（ｃａｌｌｉｎｇ ｃｒｅｄｉｔ）が格納されているデータキャリアを含む追加のラベルを貼り付けることもできる。
【００２１】
請求項６記載の特徴によると、長所として、この移動電話機は現在の標準に準拠し、従って、マスマーケティングに適する。
【００２２】
請求項７記載の特徴によると、記録媒体から読み出された暗号化された情報信号（オーディオ、ビデオ、画像等）を再生することができる再生デバイス（ＭＰ３プレーヤ、ＤＶＤプレーヤ、ＣＤプレーヤ、コンピュータ等）が得られる。再生のためには、長所として、単に、コンタクトレスなやり方にて通信し、購入された再生の権利を表すデータキャリアを、再生デバイスのハウジング上に貼り付けることが要求される。これはユーザにとって簡単であると共に、再生デバイスは、例えば、コンタクト型の通信を行うスマートカードで必要となるホルダは不要である。
【００２３】
請求項８記載の特徴によると、長所として、暗号化された情報信号を、例えば、インターネットに接続されたサーバからダウンロードすることが可能になる。
【００２４】
以下に、本発明を図面を参照しながら詳細に説明する。図面は２つの実施例を示すが、これらは単に解説のために与えられているものであり、本発明を制限するものではない。
【００２５】
【発明の実施の形態】
図１は、本発明の第一の実施例によるアンテナ信号（ＡＳ）を処理するための処理デバイスを形成する移動（モバイル）電話機１の背面を示す。この移動電話機１の図の右側部分は、アンテナ２と、移動電話機１のハウジング４のハウジング背面壁３と、ハウジング背面壁３内の後退部５を示し、これらについては後により詳細に説明される。
【００２６】
この移動電話機１の図の左側部分については、ハウジング背面壁３は象徴的に除去されており、移動電話機１内の電子回路がハウジング４内に配列された機能ブロックとして示されている。移動電話機１のこれら機能ブロックは、電話手段６と、処理手段７と、マイクロホン８と、拡声器９から構成される。
【００２７】
移動電話機１によって電話接続が設定されると、電話手段６はＧＳＭ標準（ＥＴＳ ３００ ６０７）に従って伝送プロトコルを遂行し、アンテナ２と電話手段６は第一の通信手段を形成する。電話手段６は、ユーザ識別情報ＢＩ（例えば、移動電話機１の電話番号）と第一のオーディオ情報ＡＩ１の両方を伝送プロトコルに挿入し、伝送プロトコルから第二のオーディオ情報ＡＩ２を読み出す。電話手段６は、アンテナ２の助けを借りて、９００ＭＨｚのアンテナ信号ＡＳを受信し、次に、自身のアンテナ信号ＡＳをアンテナ２に供給する。このアンテナ信号ＡＳを介して情報は伝送プロトコルに従って伝送される。
【００２８】
移動電話機１によって一旦電話接続が設定されると、移動電話機１は、移動電話１がログオンした電話プロバイダ（例えば、Ｍｏｂｉｌｋｏｍ， ＭａｘＭｏｂｉｌ或いはＯｎｅ ｉｎ Ａｕｓｔｒｉａ）の送信／受信アンテナとの間でアンテナ信号ＡＳを送信／受信する。この技術は、移動電話機において通常行われており、ずっと以前から周知であり、この理由から、電話手段６、アンテナ２及びプロバイダの送信／受信アンテナの動作についてはこれ以上詳細には説明しない。
【００２９】
電話手段６は、電話手段６によってアンテナ信号ＡＳから抽出された第一のオーディオ信号ＡＩ１を処理手段７に供給する。処理手段７はこの受信された第一のオーディオ信号ＡＩ１を処理する。この第一のオーディオ情報ＡＩ１のデジタルデータは、デジタル・アナログ変換器に加えられ、こうして得られた増幅された第一のアナログオーディオ信号ＡＳ１は移動電話機１の拡声器９に加えられる。
【００３０】
移動電話機１のユーザがマイクロホン８に向かって話し、一旦電話接続が設定されると、マイクロホン８からの第二のアナログオーディオ信号ＡＳ２が処理手段７に加えられる。処理手段７は、アナログ・デジタル変換器を含み、これによって増幅された第二のアナログオーディオ信号ＡＳ２はデジタル化され、電話手段６に第二のオーディオ情報ＡＩ２として加えられる。
【００３１】
移動電話機１は、送信／受信手段１０とＨＦアンテナ１１を有し、これによって制御情報をコンタクトレスに取り出す（ｃｏｎｔａｃｔｌｅｓｓ ｒｅｔｒｉｅｖａｌ）ための第二の通信手段が形成される。この制御情報は、通常は、いわゆるＳＩＭカード（ＥＴＳ ３００ ０４５）内に格納され、ＳＩＭカードのデータキャリアからＳＩＭカードホルダを介してコンタクトを介して（ｃｏｎｔａｃｔ−ｂｏｕｎｄ ｍａｎｎｅｒ）読み出される情報に相当する。この制御情報には、ユーザ識別情報ＢＩと、電話プロバイダ識別情報ＴＩが含まれ、電話プロバイダ識別情報ＴＩは、その送信／受信アンテナの網とスイッチング設備を介して、電話接続が設定及び切断される電話プロバイダを識別する。
【００３２】
送信／受信手段１０は、この制御情報を、受動データカードからＩＳＯ／ＩＥＣ−１４４４３標準に従ってコンタクトレス（ｃｏｎｔａｃｔｌｅｓｓ ｍａｎｎｅｒ）に読み出すように適合化される。この目的のために、送信／受信手段１０は、送信／受信手段１０からのパルス幅変調検索情報を運ぶための１３．５６ＭＨｚなる周波数を有するＨＦ信号を送信し、これを受信すると、データキャリア１２は負荷変調（ｌｏａｄ ｍｏｄｕｌａｔｉｏｎ）を用いて制御情報を送信／受信手段１０に転送する。これら送信／受信手段１０とデータキャリア１２の動作については、例えば、ドキュメントＷＯ００／４５３２８において開示されているため、これを参照されたい。
【００３３】
送信／受信手段１０は、送信／受信手段１０によって、データキャリア１２から取り出されたユーザ識別情報ＢＩと電話プロバイダ識別情報ＴＩを電話手段６と処理手段７に加える。電話手段６は、ユーザ識別情報ＢＩと電話プロバイダ識別情報ＴＩを受信した後にのみ、電話接続を設定するように適合化される。これは新たに購入された移動電話機は、電話番号と使用されるべき電話プロバイダの送信／受信アンテナ網を指定しない限り、電話接続を設定することはできないためである。
【００３４】
データキャリア１２は、粘着ラベル１３内に埋め込まれ、移動電話機１のハウジング背面壁３に粘着ラベル１３を介して着脱可能に取りつけられる。このデータキャリア１２では、長所として、移動電話機１のハウジング４に貫通孔を設けることは全く必要とされず、ユーザは、購入の後、パーソナル化のために（電話番号と電話プロバイダのために）ハウジングを開けることを必要とされない。このため、移動電話機１の防水ハウジング４を極めて安価に実現することが可能になる。加えて、移動電話機１の電子回路が埃や湿気などの環境の影響、或いはユーザが電話手段６に触れた結果としての静電放電から保護され、これは大きな長所である。
【００３５】
さらなる長所として、電話機本体１を購入した後は、ユーザは単に電話プロバイダの店舗で粘着ラベルを購入或いは取り寄せ、この粘着ラベル１３を移動電話機１のハウジング背面壁３に貼り付けるのみで、移動電話機１を用いて電話を初めてかけることが可能になる。このためユーザにる取り扱いは極めて簡単になる。
【００３６】
本発明によると、ハウジング背面壁３は後退部５を有し、移動電話機１の説明は、ユーザに粘着ラベル１３をこの後退部５に貼り付けるべきことを指示する。長所として、データキャリア１２が埋め込まれている粘着ラベル１３の表面は、後退部５を越えてハウジング背面壁３の表面上を外側へと延びることはない。このため、粘着ラベル１３への損傷が最良なやり方にて阻止される。更に、この後退部５のために、長所として、データキャリア１２を移動電話機１のＨＦアンテナ１１の真反対に取り付けることができ、こうして短い空気伝送路を介しての最適な通信が保証される。
【００３７】
ＨＦ信号を伝送する送信／受信手段１０を設けることで、長所として、コンタクトレスに通信する受動データキャリア１２をデータキャリア１２として用いることが可能となる。これにより、粘着ラベル１３内のデータキャリア１２の電源用の蓄電池を省くことができ、このため粘着ラベル１３を極めて薄くすることが可能になる。
【００３８】
更に、ユーザの発呼クレジット（ｃａｌｌｉｎｇ ｃｒｅｄｉｔ）を格納する別のデータキャリアを埋め込んだ更なる粘着ラベルをハウジング背面壁３に貼り付けることもできることに留意されたい。ユーザによって掛けられる各電話呼の際に、こうして格納された発呼クレジットから電話料金が引き落とされる。ユーザの発呼クレジットが使い果たされたら、ユーザはこの更なる粘着ラベルをハウジングの背面壁から剥がし、これを新たな発呼クレジットの付いた新たな粘着ラベルと交換することもできる。一つ或いは複数の更なる粘着ラベルは、横に並べて貼ることも、互いに重ねて貼ることもできるが、できれば後者の方がＨＦアンテナ１１と近くなるために好ましい。
【００３９】
更に、第二の通信手段は、別の標準、例えば、ＩＳＯ／ＩＥＣ １５６９３に従って容量性コンタクトレス通信（ｃａｐａｃｉｔｉｖｅ ｃｏｎｔａｃｔｌｅｓｓ ｃｏｍｍｕｎｉｃａｔｉｏｎ）或いは誘導性コンタクトレス通信（ｉｎｄｕｃｔｉｖｅ ｃｏｎｔａｃｔｌｅｓｓ ｃｏｍｍｕｎｉｃａｔｉｏｎ）を提供するように適合化することもできることに留意されたい。
【００４０】
更に、第一の通信手段は、別の電話標準、例えば、ＵＭＴＳ標準に従って通信するように適合化し、その標準の伝送プロトコルに従ってビデオ情報或いは他の情報を伝送することもできることに留意されたい。
【００４１】
データキャリアを埋め込まれた粘着ラベルは、処理デバイスのハウジングのどこに貼り付けてもよいことに留意されたい。この場合、ハウジング内の第二の通信手段の位置と、ハウジング上のどの位置が損傷に対して最適かが位置決定の目安となる。粘着ラベルは、処理デバイスのハウジングの表面側に貼り付けることもできる。
【００４２】
データキャリアをハウジングに着脱可能に接続するための様々なさらなる可能性を当業者は理解することに留意されたい。例えば、データキャリアはハウジングの外側に配置されたホルダ内に挿入することもできる。同様にして、磁力を用いてデータキャリアを処理デバイスのハウジングに着脱可能に接続することもできる。
【００４３】
図２は、本発明の第二の実施例による処理デバイスを形成するＭＰ３プレーヤ１４を示す。このＭＰ３プレーヤ１４は、コネクタ１５の助けを借りてインタネットに接続することもできる。例えば、キー１６とディスプレイ１７を介してインタネットに接続されたコンピュータサーバ（例えば、Ｎａｐｓｔｅｒ）との接続が設定され、ＭＰ３符号化方式に従って符号化された所望の音楽の暗号化されたオーディオ情報が格納される。
【００４４】
ＭＰ３プレーヤ１４のユーザが、ディスプレイ１７を介して表示される音楽のタイトルのリストから所望の音楽、例えば、「Ｋｌｅｉｎｅ  Ｎａｃｈｔｍｕｓｉｋ」を選択し、ダウンロードキー１８を作動させることができる。これにより、暗号化及び符号化されたオーディオ情報がコンピュータサーバからダウンロードされ、ＭＰ３プレーヤ１４のメモリ内に格納される。
【００４５】
ＭＰ３プレーヤ１４内に格納された暗号化及び符号化されたオーディオ情報は、適当なキー情報が暗号解読手段に加えられたときにのみ、ＭＰ３プレーヤ１４の暗号解読手段によって解読することができる。ＭＰ３プレーヤのユーザは、適性なキー情報を正確に格納するデータキャリア２０を埋め込まれた粘着ラベル１９を購入することができる。粘着ラベル１９を購入することで、ユーザは１つ或いは複数の所望の音楽を再生する権利を得る。
【００４６】
再生の権利は、格納されている音楽の所定の曲数に制限することも、再生セッションの所定の回数に制限することもできる。同様にして、再生の権利が所望の音楽（例えば、クラシック音楽）の再生（解読）を許すようにし、他の音楽（例えば、ロック、演奏者；Ｂｅａｔｌｅｓ）などの再生のためには、別の粘着ラベルの購入を求めることもできる。
【００４７】
ユーザが所定の粘着ラベルをＭＰ３プレーヤ１４に貼り付けると、ＭＰ３プレーヤ１４の解読手段によって暗号化及び符号化されているオーディオ情報が解読され、トラック「Ｋｌｅｉｎｅ Ｎａｃｈｔｍｕｓｉｋ」が再生される。こうして、暗号化及び符号化されたオーディオ情報の処理は、データキャリアからコンタクトレスに取り出されるキー情報の影響下で処理され、受信されたオーディオ情報の解読が許される。
【００４８】
長所として、この方式では、インタネットからダウンロードできる情報を解読するための再生権を、任意の店で、粘着ラベルの形式にで非常に容易に購入することが可能となる。ユーザは、これをＭＰ３プレーヤに貼り付けるのみで済み、このため、ユーザによる取り扱いは非常に簡単になる。加えて、コンタクト型通信（ｃｏｎｔａｃｔ−ｂｏｕｎｄ ｃｏｍｍｕｎｉｃａｔｉｏｎ）用のデータキャリアを用いるスマートカードの場合に要求されるホルダは不用となり、この結果、処理デバイスを非常に安価に製造することが可能になる。
【００４９】
ＭＰ３プレーヤ１４は後退部２１を有し、粘着ラベル１９はこの内部に貼り付けられる。この結果として、移動電話機１に対して上述の長所がＭＰ３プレーヤ１４に対しても得られる。
【００５０】
更に、本発明による処理デバイスは、二進情報信号（画像情報、音響情報、テキスト情報、ビデオ情報）を処理するために適用することもできる。更に、適当な制御情報により、受信された情報信号を他の広範な様々なやり方にて制御することもできる。
【図面の簡単な説明】
【図１】
図１は移動電話機のハウジングの背面と移動電話機の機能ブロックを示す。この移動電話機は移動電話機の背面に貼り付けられたＳＩＭカードとコンタクトレスに通信するための通信手段を有する。
【図２】
ＭＰ３プレーヤを示す。これはインタネットに接続することができ、これを通じて暗号化されたオーディオ情報をＭＰ３プレーヤの再生メモリ内にロードすることができる。このＭＰ３プレーヤはＭＰ３プレーヤの背面に貼り付けられたデータキャリアとコンタクトレスに通信するための通信手段を有する。
【符号の説明】
１  移動電話機
２  アンテナ
３  ハウジング背面壁
４  移動電話機のハウジング
５  ハウジング背面壁内の後退部
６  電話手段
７  処理手段
８  マイクロホン
９  拡声器
１０  送信／受信手段
１１  ＨＦアンテナ
１２  データキャリア
１３  粘着ラベル
１４  ＭＰ３プレーヤ
１５  コネクタ
１６  キー
１７  ディスプレイ
１８  ダウンロードキー
１９  粘着ラベル
２０  データキャリア
２１  後退部
【国際公開パンフレット】
2004516587.tif 000003
2004516587.tif 000004
2004516587.tif 000005
2004516587.tif 000006
2004516587.tif 000007
2004516587.tif 000008
2004516587.tif 000009
2004516587.tif 000010
2004516587.tif 000011
2004516587.tif 000012
2004516587.tif 000013
2004516587.tif 000014
2004516587.tif 000015
【国際調査報告】
2004516587.tif 000016
2004516587.tif 000017
2004516587.tif 000018